(57)【要約】
【課題】　歯科医が患者の口内でデジタルカメラを操作する時にケーブルに引っ張られないため、作業の便利性と効率を高めることができるデジタル無線伝送口腔カメラ装置の提供。
【解決手段】　デジタルカメラとコンピュータを具え、デジタルカメラとコンピュータの間にブルートゥース無線送受信モジュールがあり、この無線送受信技術がデジタル口腔カメラに応用され、デジタルカメラとコンピュータの間でケーブルによる連接が不要でデジタルカメラの撮影した画像がコンピュータに伝送され、並びにコンピュータに撮影した画像が表示される。
【選択図】　　　　図１
0003099963.tif 000002
【実用新案登録請求の範囲】
【請求項１】
　デジタル無線伝送口腔デジタルカメラ装置において、該デジタル無線伝送口腔デジタルカメラ装置はデジタルカメラとコンピュータを具え、該デジタルカメラの内部に基板が結合され、該基板にレンズ、制御スイッチ、電磁素子、第１無線送受信モジュール及び発光ダイオードが接続され、該レンズにＣＣＤが接続され、該コンピュータに第２無線送受信モジュールが設けられ、該第１無線送受信モジュールと該第２無線送受信モジュールの間が相互に信号の発射と受信可能とされ、該レンズで画像を撮影後にコンピュータのディスプレイにその画像を表示することを特徴とする、デジタル無線伝送口腔デジタルカメラ装置。
【考案の詳細な説明】
【技術分野】
【０００１】
　本考案は一種のデジタル無線伝送口腔カメラ装置に係り、特に、画像伝送手段としてのケーブルが不要であるため、デジタルカメラ操作に便利である、デジタル無線伝送口腔カメラ装置に関する。
【背景技術】
【０００２】
　歯科医は時としてデジタル口腔カメラを利用して患者の口腔を撮影して病状を理解する必要がある。伝統的なデジタル口腔カメラ装置は、一般に、デジタルカメラとコンピュータを具え、デジタルカメラとコンピュータの間はケーブルで連接され、デジタルカメラの撮影した画像はケーブルでコンピュータに送られ、特定のプログラムで処理されてディスプレイに画像が表示され、医師はディスプレイに表示された画像により病状を判断する。しかし、周知のデジタル口腔カメラ装置はケーブルを信号伝送の媒体としているため、操作使用時にケーブルの長さの制限を受けることがあり、また、ケーブルが絡まる状況が発生し、使用上、不便な問題を有している。
【０００３】
　ブルートゥース技術は短距離無線通信技術であり、この技術により連接される設備間のデータ伝送速度は毎秒１百万バイトに達し、最大伝送距離は１０メートルであり、コストは比較的低い。ブルートゥースは携帯電話とＰＤＡの間、ＰＤＡとＰＣの間に標準の無線連接を構築でき、ケーブルによる連接の代わりとなりうる。現在ＰＤＡに広く使用されている赤外線通信技術と比較して、ブルートゥース技術通信は更に便利で、快速で信頼性がある。ＰＤＡ機能拡張の一つの重要な面は無線通信であり、ブルートゥース技術はＰＤＡと固定設備との資源共用に更に役立つ。
【０００４】
　ブルートゥース無線技術は業界標準の協定であり、それはブルートゥース装置、例えばキーボード、マウス、携帯電話、プリンタ及びコンピュータに短距離の伝送動作を行なわせる。しかしデジタル口腔カメラには未だ使用されていない。ブルートゥース無線伝送技術は無線の伝送方式を使用するため、データの伝送を更に快速とすることができ、ブルートゥース伝送技術は信号に対する障害を最小に確保でき、並びにデータの伝送を更に安全に行なうことができ、このためデジタル口腔カメラへの応用は十分に適当な選択である。
【０００５】
　ブルートゥースは９×９平行ミリメートルマイクロチップに搭載された短距離周波リンクを使用している。この協定は携帯電話、パームトップコンピュータ、ノートブックコンピュータ、関係する家庭内外のマルチメディア設備の間での情報交換に適用される。それは２．４５ＧＨｚ　ＩＳＭグローバルフリー周波数帯域を使用し、旅行者も障害なくブルートゥース設備を使用できる。ブルートゥースは操作範囲内のブルートゥース製品の無線連接を実現する。ブルートゥースブローバンド協定は回路スイッチとワーキンググループ交換機に結合され、音声とデータ伝送に適用される。非同期チャンネルは任意の方向の毎秒７２１ＫＢと戻り方向毎秒５７．６ＫＢの非対称リンクをサポートする。これにより、それは十分に快速にハニカムシステム上の非常に大きなデータ比率に対応する。一般にそのリンク範囲は１００ミリメートルから１０メートルである。もし伝送効率を増すなら、そのリンク範囲は１００メートルまで拡張できる。これにより、ブルートゥース技術のデジタル口腔カメラへの応用は十分に適当な設計である。
【考案の開示】
【考案が解決しようとする課題】
【０００６】
　本考案の解決しようとする主要な技術問題は、伝統的なデジタル口腔カメラがケーブルをデータ伝送の媒体として使用しているためにケーブルの長さの制限を受け、また、ケーブルが絡まる状況を発生しやすかった欠点を解決することにある。
【０００７】
　本考案は、デジタルカメラとコンピュータのいずれにも無線送受信モジュール、例えばブルートゥース送受信モジュールを取り付けて、従来のケーブルの代わりにデータ伝送の手段となし、有形のケーブルのもたらす面倒、不便及び制限を防止する。
【課題を解決するための手段】
【０００８】
　請求項１の考案は、デジタル無線伝送口腔カメラ装置において、該デジタル無線伝送口腔カメラ装置はデジタルカメラとコンピュータを具え、該デジタルカメラの内部に基板が結合され、該基板にレンズ、制御スイッチ、電磁素子、第１無線送受信モジュール及び発光ダイオードが接続され、該レンズにＣＣＤが接続され、該コンピュータに第２無線送受信モジュールが設けられ、該第１無線送受信モジュールと該第２無線送受信モジュールの間が相互に信号の発射と受信可能とされ、該レンズで画像を撮影後にコンピュータのディスプレイにその画像を表示することを特徴とする、デジタル無線伝送口腔カメラ装置としている。
【考案の効果】
【０００９】
　従来の技術と比較して、本考案はケーブルを使用しないでデジタルカメラの撮影した画像をコンピュータに伝送し、さらにコンピュータのディスプレイに画像を表示し、これにより歯科医の操作使用に非常に便利であり、ケーブルの長さの制限をうけずう、またケーブルが絡む問題がない。
【考案を実施するための最良の形態】
【００１０】
　図１に示されるように、本考案の装置は、デジタルカメラ１とコンピュータ２を具え、並びにデジタルカメラ１とコンピュータ２の間にブルートゥース伝送装置が設けられている。該ブルートゥース伝送装置は図２、図３に示されるようであり、そのうち図２はデジタルカメラ１内部に設けられたブルートゥースモジュールは、基板を具え、該基板にレンズ、制御スイッチ１２、電磁素子、第１無線送受信モジュールと発光ダイオード１３が接続され、該レンズに更にＣＣＤが接続されている。図３はコンピュータ２に設けられるブルートゥースモジュールで、それは、第２無線送受信モジュールを具え、この第２無線送受信モジュールは、ＵＳＢ（Ｕｎｉｖｅｒｓａｌ　Ｓｅｒｉａｌ　Ｂｕｓ）インタフェースでコンピュータに接続されている。上述のＣＣＤは信号電圧を利用して半導体層中でポテンシャルウェル（Ｐｏｔｅｎｔｉａｌ　Ｗｅｌｌ）を構築し、形成後のポテンシャルウェル中に電荷を保存し、さらにタイミングパルスでそれを別のポテンシャルウェルに伝送し、ＣＣＤの出力端までこうして伝送する。その部品配列は一列であるため、回路に照射される光と組み合わされて、出力が実行される。
【００１１】
　本考案は使用時に、デジタルカメラ１の制御スイッチ１２により第１無線送受信モジュールが起動され、正常動作時に、デジタルカメラ１に設けられた対応する発光ダイオード１３が点灯し、反対であれば滅灯し、その後、レンズ１１の照準が撮影を必要とする目標に合わされて撮影が行なわれる。撮影された画像は第１無線送受信モジュールより発射されてコンピュータ２の第２無線送受信モジュールに受信され、さらにコンピュータ２に格納されたプログラムで処理され、最後にディスプレイ２１に画像が表示される。これにより、伝統的なケーブルが省略され、使用者が操作時に自在に手を使用でき、非常に実用的で進歩性を有している。
【００１２】
　以上は本考案を説明するための実施例であり、本考案の実施範囲を制限するものではなく、本考案に基づきなしうる細部の修飾或いは改変は、いずれも本考案の請求範囲に属するものとする。
【図面の簡単な説明】
【００１３】
【図１】本考案の斜視図である。
【図２】本考案のデジタルカメラに設けられたブルートゥースモジュールの表示図である。
【図３】本考案のコンピュータに設けられたブルートゥースモジュールの表示図である。
【符号の説明】
【００１４】
１　デジタルカメラ
１１　レンズ
１２　制御スイッチ
１３　発光ダイオード
２　コンピュータ
２１　ディスプレイ
【図１】
0003099963.tif 000003
【図２】
0003099963.tif 000004
【図３】
0003099963.tif 000005